(57)【特許請求の範囲】
【請求項１】
筐体と、
前記筐体に搭載され、２つの画面に分割されたタッチパネルであって、前記画面の各々には、エレベーターの行先階の選択を開始させるための淵部分が設けられており、前記画面の一方には前記行先階を選択するための選択エリアが設けられ、他方には、前記選択エリアによって選択された前記行先階を確定するための確定エリアが設けられているタッチパネルと、
利用者が、前記淵部分を触ったとき、前記選択エリアによる前記行先階の選択を開始させ、前記選択エリアを触ることによって選択された前記行先階を前記利用者に認識させ、これにより前記利用者が前記確定エリアを触って前記行先階を確定させたときに、前記エレベーターを前記行先階に停止させる演算装置とを備えた
エレベーターの入力装置。
【請求項２】
筐体と、
前記筐体に搭載され、２つの画面に分割されたタッチパネルであって、前記画面の各々には、エレベーターの行先階の選択を開始させるための淵部分が設けられており、前記画面の各々には前記行先階を選択するためのエリアが設けられているタッチパネルと、
利用者が、前記淵部分を触ったとき、前記エリアによる前記行先階の選択を開始させ、前記画面の一方を触ることによって前記行先階を現在の階から上方又は下方に進めるとともに前記利用者に前記行先階を認識させ、これにより前記利用者が前記行先階を希望の階に確定させたときに、前記エレベーターを前記行先階に停止させる演算装置とを備えた
エレベーターの入力装置。
【請求項３】
前記タッチパネルは、上下又は左右の画面に分割されており、前記淵部分は、前記２つの画面の向かい合う部分に設けられている
請求項１又は２に記載のエレベーターの入力装置。
【請求項４】
前記演算装置は、前記行先階を前記利用者に認識させるため、スピーカーから前記行先階を出力させる
請求項１又は２に記載のエレベーターの入力装置。
【請求項５】
前記演算装置は、前記行先階を前記利用者に認識させるため、前記画面の一方に前記行先階を表示させる
請求項１に記載のエレベーターの入力装置。
【請求項６】
前記演算装置は、前記利用者が前記画面の一方を長押ししたときに、前記行先階を希望の階に確定させたと判定する
請求項２に記載のエレベーターの入力装置。
【発明の詳細な説明】
【技術分野】
【０００１】
本発明は、エレベーターの入力装置に関し、特にエレベーターかご内に搭載される操作用のタッチパネルに関するものである。
【背景技術】
【０００２】
従来より、図１に示すように、複数のタッチパネル１ａ〜１ｅを並べてモジュール１を構成することにより、例えば、行先方向の表示パネル１ａ、行先階釦１ｂ〜１ｄ、及び戸開・戸閉釦１ｅの機能を実現するエレベーターの入力装置がある（例えば、特許文献１参照）。
これにより、利用者は該当する釦を押すことで行先階の登録や戸の開閉が可能となる。【０００３】
また、図２に示すように、１枚のタッチパネル１を複数のエリア２に区分けして、上呼び、下呼び、及び戸リオープン等をタッチ＆スライドすることにより実現できるようにしたエレベーターの乗り場操作装置がある（例えば、特許文献２参照）。
これにより、上呼び釦、下呼び釦、車いす用釦などの機能的、視覚的な区別なく、１つの装置で乗り場操作が可能となる。【０００４】
また、図３に示すように、１枚のタッチパネル１のエリアに階床情報３を表示して、タッチした位置により行先階の登録を行うエレベーターの呼び登録装置がある（例えば、特許文献３）。
これにより、利用者が速やかに目的階を探してタッチし、短時間で目的階を入力することが可能となる。
【先行技術文献】
【特許文献】
【０００５】
【特許文献１】特許５８５６２３６号公報
【特許文献２】特開２０１１−０３７５７０号公報
【特許文献３】特許５１５９７２３号公報
【発明の概要】
【発明が解決しようとする課題】
【０００６】
上記の特許文献１の場合、複数のタッチパネルを並べることでタッチパネル同士の切れ目を手探りで探すことが可能である。しかし、複数のタッチパネルが必要になることで、入力装置が高価になることや、機能毎にタッチパネルを割り当てるため、手探りで触ったときは必ずしも所望の機能が動作するものではない。【０００７】
また、上記の特許文献２の場合、１枚のタッチパネル上を指でスライドさせる等により、指の動きに応じて予め定義された機能が発揮されることで、例えば呼び登録などを実現するが、視覚障碍者はタッチパネル上のどこを触れているか分からなかったり、触っただけで機能が動作し、指の動きによって機能するため、直感的に操作できるものではない。【０００８】
さらに、上記の特許文献３の場合、タッチパネルの定義された場所を触ることで行先階をアナウンスし、希望の階をアナウンスに従って探すが、上記と同様に触っただけで機能が動作し、指の動きによって機能するため、直感的に操作できるものではない。【０００９】
本発明は、上記のような課題を解決するためになされたもので、タッチパネルの画面上に予め釦等を配置することなく行先階を登録することができるエレベーターの入力装置を提供することを目的とする。
【課題を解決するための手段】
【００１０】
上記の目的を達成する為、本発明では、筐体と、前記筐体に搭載され、２つの画面に分割されたタッチパネルであって、前記画面の各々には、エレベーターの行先階の選択を開始させるための淵部分が設けられており、前記画面の一方には前記行先階を選択するための選択エリアが設けられ、他方には、前記選択エリアによって選択された前記行先階を確定するための確定エリアが設けられているタッチパネルと、利用者が、前記淵部分を触ったとき、前記選択エリアによる前記行先階の選択を開始させ、前記選択エリアを触ることによって選択された前記行先階を前記利用者に認識させ、これにより前記利用者が前記確定エリアを触って前記行先階を確定させたときに、前記エレベーターを前記行先階に停止させる演算装置とを備えたエレベーターの入力装置が提供される。
【００１１】
また、上記の目的を達成する為、本発明では、筐体と、前記筐体に搭載され、２つの画面に分割されたタッチパネルであって、前記画面の各々には、エレベーターの行先階の選択を開始させるための淵部分が設けられており、前記画面の各々には前記行先階を選択するためのエリアが設けられているタッチパネルと、利用者が、前記淵部分を触ったとき、前記エリアによる前記行先階の選択を開始させ、前記画面の一方を触ることによって前記行先階を現在の階から上方又は下方に進めるとともに前記利用者に前記行先階を認識させ、これにより前記利用者が前記行先階を希望の階に確定させたときに、前記エレベーターを前記行先階に停止させる演算装置とを備えたエレベーターの入力装置が提供される。
【発明の効果】
【００１３】
本発明によれば、２つの画面に分割されたタッチパネルを筐体に搭載し、それらの画面の各々には、エレベーターの行先階の登録を開始させるための淵部分を設け、それらの画面の一方には行先階を選択するための選択エリアが設けられ、他方には、選択エリアによって選択された行先階を確定するための確定エリアが設けられており、利用者が、淵部分を触ったとき、行先階の登録を開始させ、選択エリアを触ることによって選択された行先階を利用者に認識させ、これにより利用者が確定エリアを触って行先階を確定させるように構成したので、タッチパネルの筐体（表面）の形状を利用することで、手探りで上下方向又は左右方向の選択をすることができる。さらに、タッチパネルを実装する筐体の形状を利用することで、特別な釦を準備しなくても手探りでエレベーターの行先階を決定することができる。そのため、視覚障碍者又は聴覚障碍者でも直感的に操作が可能である。また、複数のタッチパネルを組み合わせたりする必要もないため、入力装置のコストも従来のタッチパネル式の入力装置と比べて高くなることはない。
【図面の簡単な説明】
【００１４】
【図１】先行技術文献としての特許文献１を概略的に示した図である。
【図２】先行技術文献としての特許文献２を概略的に示した図である。
【図３】先行技術文献としての特許文献３を概略的に示した図である。
【図４】本発明に係るエレベーターの入力装置の実施の形態１の構成を示したブロック図である。
【図５】図４に示す演算装置で実行される処理を示したフローチャートである。
【図６】本発明に係るエレベーターの入力装置の実施の形態２の構成を示したブロック図である。
【図７】図６に示す演算装置で実行される処理を示したフローチャートである。
【図８】本発明に係るエレベーターの入力装置の実施の形態３の構成を示したブロック図である。
【図９】図８に示す演算装置で実行される処理を示したフローチャートである。
【図１０】本発明に係るエレベーターの入力装置の実施の形態４の構成を示したブロック図である。
【図１１】図１０に示す演算装置で実行される処理を示したフローチャートである。
【発明を実施するための形態】
【００１５】
以下、本発明に係るエレベーターの入力装置の種々の実施の形態を、上記の添付図面を参照して説明する。
【００１６】
実施の形態１．
本実施の形態では、図４に示す如く、筐体４に、点線で示すタッチパネル１が実装されており、このタッチパネル１の画面５は、その中央で上側部分６と下側部分７とに分割されている。画面５の上側部分６の下部には淵部分（斜線部）６ａが設けられており、タッチパネル１の下側部分７の上部には淵部分（斜線部）７ａが設けられている。なお、上側部分６と下側部分７はこの逆でもよい。
【００１７】
例えば、視覚障碍者である利用者は、これらの淵部分６ａ及び７ａの内、少なくとも一方の、例えば淵部分６ａを触ることにより、上側部分６の「進む」の選択エリア２０、又は「戻る」の選択エリア２１で行先階を選び、下側部分７の確定エリア２２で確定する。エレベーターは、この確定された行先階で停止する。
【００１８】
次に、図４に示した本実施の形態の動作を、演算装置１００によって実行される図５のフローチャートを参照して説明する。
【００１９】
ステップＳ１において、利用者が、タッチパネル１を実装する筐体４の画面５内の画面６及び７における淵部分６ａ，７ａを触ったことで、演算装置１００は、行先階の登録を開始する。そして、利用者が上側画面６を触わったことを検知したとする。
【００２０】
ステップＳ２において、演算装置１００は、触った上側画面６の上部に「進む」の選択エリア２０を表示し、上側画面６の下部に「戻る」の選択エリア２１を表示する。
【００２１】
ステップＳ３において、利用者が、「進む」の選択エリア２０を触った場合には、演算装置１００は行先階を現在の階から上方向に進め、「戻る」の選択エリア２１を触ったら、行先階を現在の階から下方向に進める。例えば、現在７Ｆにいた場合は、「進む」の選択エリア２０で８、９、１０・・・、「戻る」の選択エリア２１で６、５、４・・・と進める。
この選択の仕方は、上記の特許文献２又は３に開示されている方法を用いることができる。
【００２２】
このとき、演算装置１００は、行先階を利用者に対してスピーカー等により知らせる。
なお、利用者が聴覚障碍者の場合には、画面６における、例えば、選択エリア２０と選択エリア２１との間のエリア等を利用して行先階を知らせればよい。
【００２３】
ステップＳ４において、利用者は、希望の階となったら下側画面７の確定エリア２２を押下して行先階を確定する。演算装置１００は、この確定された行先階でエレベーターを停止させる。
【００２４】
上記の例では、図４は、筐体４の淵部分６ａ，７ａを頼りに、上側画面６を最初に触った場合を扱っているが、下側画面７を最初に触った場合も図５のフローチャートと同様に、行先階を確定することができる。
このように、最初に選択した側のさらに、上側エリア２０と下側エリア２１に行先階の進む方向を分けて表示させることで、障碍者においても直感的に操作することが可能である。
【００２５】
実施の形態２．
本実施の形態では、図６に示す如く、筐体４に、点線部分で示すタッチパネル１の画面８を上側画面９と下側画面１０とに分けている。また、上側画面９の下部には淵部分（斜線部）９ａが設けられており、下側画面１０の上部には淵部分（斜線部）１０ａが設けられている。なお、上側画面９と下側画面１０はこの逆でもよい。
【００２６】
そして、利用者は、淵部分９ａ又は１０ａを頼りに、仕切られた上側画面９のエリア２３を触ることにより現在位置よりも上の階を選び、下側画面１０のエリア２４を触ることにより下の階を選ぶようになっている。
【００２７】
次に、図６に示した本実施の形態の動作を、演算装置１００によって実行される図７のフローチャートを参照して説明する。
【００２８】
ステップＳ１１において、演算装置１００は、利用者が、画面９及び１０の淵部分９ａ及び１０ａの少なくとも一方を触ることにより、行先階の登録を開始し、上側画面９のエリア２３を触わったことを検知したとする。
ステップＳ１２において、行先階を現在の階から上方向（↑）に進める。このとき、演算装置１００は、行先階を利用者に対してスピーカー等により知らせる。
ステップＳ１５において、利用者が、最後に触った画面のエリア２３を長押ししたとき、演算装置１００は行先階を確定する。
【００２９】
一方、ステップＳ１１からステップＳ１３に進んだとき、演算装置１００は、利用者が下側画面１０のエリア２４を触わったことを検知する。
ステップＳ１４において、行先階を現在の階から下方向に進める。このとき、演算装置１００は、行先階を利用者に対してスピーカー等により知らせる。
【００３０】
このように、行先階の進む方向を、上側画面９のエリア２３と下側画面１０のエリア２４とに分けることで、直感的に操作することが可能となる。
【００３１】
実施の形態３．
本実施の形態は、図８に示す如く、上記の実施の形態１を９０度回転させたものに相当しており、タッチパネル１を構成する画面１１を中央で左側部分１２と右側部分１３に分けている。利用者は、画面１２及び１３の淵部分（点線部分）１２ａ及び１３ａの少なくともいずれか一方を頼りに、最初に触った左側画面１２の「進む」の選択エリア２０と、「戻る」の選択エリア２１で行先階を選び、反対側の右側画面１３の確定エリア２２で確定する。なお、左側画面１２と右側画面１３とは、左右が逆でもよい。
【００３２】
次に、図８に示した本実施の形態の動作を、演算装置１００によって実行される図９のフローチャートを参照して説明する。
【００３３】
まず、ステップＳ２１において、演算装置１００は、利用者が、画面１２及び１３の淵部分１２ａ及び１３ａの少なくともいずれか一方を触ると、行先階の登録を開始し、さらに、左側画面１２を触ったことを検知する。
ステップＳ２２において、演算装置１００は、最初に触った左側画面１２の右部に「進む」の選択エリア２０を表示し、左部に「戻る」の選択エリア２１を画面上に表示する。
【００３４】
ステップＳ２３において、利用者が「進む」の選択エリア２０を触ったら行先階を現在の階から上方向に進め、「戻る」の選択エリア２１を触ったら、行先階を現在の階から下方向に進める。例えば、現在７Ｆにいた場合は、「進む」の選択エリア２０で８、９、１０・・・、「戻る」の選択エリア２１で６、５、４・・・と進める。このとき、演算装置１００は、行先階を利用者に対してスピーカー等により知らせる。
この選択の仕方は、上記の特許文献２又は３に開示されている方法を使用すればよい。
ステップＳ４において、演算装置１００は、利用者が希望の階となったとして右側画面１３の確定エリア２２を押下したとき、行先階を確定する。
【００３５】
上記の動作例では、画面１１の淵部分（点線部分）１２ａを頼りに、左側画面１２を最初に触った場合であるが、右側画面１３を最初に触った場合も同様に、図９のフローチャートにより、行先階を確定させることができる。
【００３６】
このように、最初に選択した側のさらに、右側エリア２０と左側エリア２１に行先階の進む方向を分けて表示させることで、利用者の直感的な操作を促すことが可能である。
【００３７】
実施の形態４．
本実施の形態では、図１０に示す如く、タッチパネル１を構成する画面１４を表示部画面１５とテンキー部画面１６とに分けて仕切っている。また、図１０の例は、バリアフリー対応として「５」に相当する部分のテンキー１７の周囲も、画面形状で「５」の場所が分かるように突起状にしている。表示部１５は、表示などに使用できるエリア２５を有している。
【００３８】
次に、図１０に示した本実施の形態の動作を、演算装置１００によって実行される図１１のフローチャートを参照して説明する。
【００３９】
ステップＳ３１において、演算装置１００は、利用者が、テンキー部１６のどこかを触わったことを検知することで、行先階の登録を開始する。
ステップＳ３２において、演算装置１００は、画面１６にテンキーを表示する。
ステップＳ３３において、表示されたテンキー１７を操作して行先階を確定する。
【００４０】
従って、テンキー「５」に相当する部分の周囲のテンキー１７も筐体４の形状で「５」の場所が分かるようにすることで、直感的な操作が可能となる。
なお、テンキーの操作による行先階の確定は、既知の技術を利用することができる。
【符号の説明】
【００４１】
１  タッチパネル、４  筐体、５〜１５  画面、１６  テンキー部、１７  テンキー、２０，２１，２３，２４〜２５  選択エリア、２２  確定エリア、６ａ，７ａ，９ａ，１０ａ，１２ａ，１３ａ  淵部分。
【図１】
0006727412.tif 000002
【図２】
0006727412.tif 000003
【図３】
0006727412.tif 000004
【図４】
0006727412.tif 000005
【図５】
0006727412.tif 000006
【図６】
0006727412.tif 000007
【図７】
0006727412.tif 000008
【図８】
0006727412.tif 000009
【図９】
0006727412.tif 000010
【図１０】
0006727412.tif 000011
【図１１】
0006727412.tif 000012